【手続補正書】
【提出日】平成15年6月30日(2003.6.30)
【手続補正１】
【補正対象書類名】明細書
【補正対象項目名】発明の名称
【補正方法】変更
【補正の内容】
【発明の名称】インターフェース装置、供給方法、コンピュータシステムおよび周辺装置特性供給方法
【手続補正２】
【補正対象書類名】明細書
【補正対象項目名】特許請求の範囲
【補正方法】変更
【補正の内容】
【特許請求の範囲】
【請求項１】
周辺機器を管理するマネジャーが前記周辺機器との間でデータを交換するコンピュータシステムにおいて、少なくとも１つのエイジェントを有し、前記コンピュータシステムのネットワークと前記周辺機器とに接続するインターフェース装置であって、
前記周辺機器に関する管理情報を要求する、前記マネジャーの管理プロトコルによる要求を受信する受信手段と、
前記受信手段により受信された要求を、複数のエイジェントのうちの１つに転送する転送手段と、
印刷データを前記周辺機器に移送する移送手段と、
前記転送手段により転送された要求に対応するコマンドを前記エイジェントにおいて生成する生成手段と、
前記エイジェントからの前記コマンドに応じて、前記周辺機器に関するデータを生成する生成手段と、
前記生成手段により生成されたデータに対応する、前記マネジャーの管理プロトコルによるデータパケットを生成するデータパケット生成手段と、
前記データパケットユニット生成手段により生成されたデータパケットユニットをネットワークを介して前記マネジャーへ送信する送信手段とを有することを特徴とするインターフェース装置。
【請求項２】
前記複数のエイジェントはそれぞれ異なる管理プロトコルを有することを特徴とする請求項１記載のインターフェース装置。
【請求項３】
前記生成手段は、前記管理情報を構築するに必要なデータを生成することを特徴とする請求項１または２記載のインターフェース装置。
【請求項４】
周辺機器を管理するマネジャーが前記周辺機器との間でデータを交換するコンピュータシステムにおいて、前記周辺機器に関する管理情報の供給方法であって、
前記周辺機器に関する管理情報を要求する、前記マネジャーの管理プロトコルによる要求を受信する受信ステップと、
前記受信手段により受信された要求を、複数のエイジェントのうちの１つに転送する転送ステップと、
印刷データを前記周辺機器に移送する移送ステップと、
前記転送ステップにより転送された要求に対応するコマンドを前記エイジェントにおいて生成する生成ステップと、
前記エイジェントからの前記コマンドに応じて、前記周辺機器に関するデータを生成する生成ステップと、
前記生成ステップにより生成されたデータに対応する、前記マネジャーの管理プロトコルによるデータパケットを生成するデータパケット生成ステップと、
前記データパケットユニット生成ステップにより生成されたデータパケットユニットをネットワークを介して前記マネジャーへ送信する送信ステップとを有することを特徴とする供給方法。
【請求項５】
ネットワークに接続されたコンピュータシステムであって、マネジャーが、当該マネジャーによって管理される周辺装置との間で、前記コンピュータシステムのネットワークと少なくとも１つのエイジェントを有する前記周辺装置のインターフェースとを介してデータを交換するコンピュータシステムにおいて、
前記周辺装置のインターフェース内に設けられ、前記少なくとも１つのエイジェントに接続され前記マネジャーの要求に応じて前記周辺装置の特性に対応する１組のデータを発生する手段と、
発生された１組のデータに応じて該１組のデータを前記少なくとも１つのエイジェントに移送する手段と、
前記１組のデータに対応するデータパケットユニットを発生し前記少なくとも１つのエイジェントから前記ネットワークを介して前記マネジャーに送る手段とを有することを特徴とするコンピュータシステム。
【請求項６】
前記周辺装置の属性情報を前記周辺装置の前記インターフェースに格納する手段を更に含み、前記周辺装置の特性に対応する前記１組のデータは前記格納された属性から生成されることを特徴とする請求項５記載のコンピュータシステム。
【請求項７】
前記少なくとも１つのエイジェントと前記マネジャーは共通の管理プロトコルに基づいて作動することを特徴とする請求項５記載のコンピュータシステム。
【請求項８】
前記データパケットユニットは前記マネジャーにより決定された管理プロトコルを使用して前記少なくとも１つのエイジェントから送られることを特徴とする請求項５記載のコンピュータシステム。
【請求項９】
前記マネジャーは、前記少なくとも１つのエイジェントから受け取った前記データパケットユニットに応じて前記被管理周辺装置の特性に対応する管理情報ベースを発生する手段を備えることを特徴とする請求項８記載のコンピュータシステム。
【請求項１０】
複数の処理モジュールと少なくとも１つの周辺装置とを含み、前記各処理モジュールは前記周辺装置を管理するマネジャーを有し、前記周辺装置はネットワークへインターフェースするネットワークインターフェース手段を含み、前記周辺装置は前記マネジャーと通信する少なくとも１つのエイジェントを含むコンピュータシステムにおける、前記マネジャーに前記周辺装置の特性を供給する周辺装置特性供給方法であって、
前記マネジャーからの管理情報データの要求メッセージを前記ネットワークインターフェース手段内の前記少なくとも１つのエイジェントに送るステップと、
前記要求メッセージに応じて前記ネットワークインターフェース手段内で前記周辺装置の特性に対応する１組のデータを発生するステップと、
前記１組のデータを前記少なくとも１つのエイジェント内で前記周辺装置の特性データを表わす応答メッセージに変換するステップと、
該応答メッセージを前記ネットワークを介して前記マネジャーに送るステップと
を備えたことを特徴とする周辺装置特性供給方法。
【請求項１１】
前記少なくとも１つのエイジェントからの前記応答メッセージに応じて前記被管理周辺装置を記述するファイルを前記マネジャーで生成し保管するステップを更に有することを特徴とする請求項１０記載の周辺装置特性供給方法。
【請求項１２】
前記被管理周辺装置の属性を前記ネットワークインターフェース手段に格納するステップと、
前記格納された属性に応じて前記１組の被管理周辺装置の特性データを生成するステップとを更に含むことを特徴とする請求項１０記載の周辺装置特性供給方法。
【請求項１３】
前記少なくとも１つのエイジェントと前記マネジャーは共通の管理プロトコルを有することを特徴とする請求項１０記載の周辺装置特性供給方法。
【請求項１４】
ネットワークを介して互いに接続された処理モジュールと周辺装置とを含み、前記各処理モジュールは複数の管理プロトコルの所定の１つを使用して前記周辺装置を管理するマネジャーを有し、前記周辺装置は前記ネットワーク上で前記マネジャーと管理情報を交換するための少なくとも１つ以上のエイジェントと組み合わされているコンピュータシステムにおいて、
前記周辺装置の属性情報を格納する手段と、
前記少なくとも１つのエイジェントに接続され前記周辺装置の前記格納された属性情報に応じて前記周辺装置を記述するデータを発生する手段と、
発生された記述データを前記周辺装置の前記少なくとも１つのエイジェントに送る手段と、
発生された記述ファイルデータの前記周辺装置の前記エイジェントによる受領に応じて発生された記述データに対応する１組のデータパケットを生成し該１組のデータパケットを前記マネジャーに送る手段と
を有することを特徴とするコンピュータシステム。
【請求項１５】
前記データパケットを送る前記周辺装置の前記エイジェントは前記マネジャーにより決定された管理プロトコルに基づいて作動することを特徴とする請求項１４記載のコンピュータシステム。
【請求項１６】
前記マネジャーは、前記発生された記述データに対応する前記１組のデータパケットに応じて前記周辺装置の記述ファイルを生成することを特徴とする請求項１４記載のコンピュータシステム。
【請求項１７】
ネットワークを介して互いに接続された処理モジュールと周辺装置とを含み、前記処理モジュールは複数の所定の管理プロトコルの所定の１つを使用して前記周辺装置を管理するマネジャーを有し、前記周辺装置は複数のエイジェントと組み合わされ、各エイジェントは前記複数の所定の管理プロトコルの１つに基づいて作動して前記ネットワークを介して前記マネジャーと管理情報を交換するコンピュータシステムにおいて、
前記各被管理周辺装置の前記複数のエイジェントの各々に接続され、処理モジュールマネジャーからの要求に応じて前記接続されたエイジェントの管理プロトコルに従って前記被管理周辺装置の特性に対応するデータを発生する手段と、
該発生されたデータを前記要求を発する処理モジュールマネジャーの管理プロトコルに基づいて作動する前記被管理周辺装置の前記エイジェントに送る手段と、
前記処理モジュールマネジャーの管理プロトコルに基づいて作動する前記被管理周辺装置の前記エイジェントによる前記発生されデータの受領に応じて前記エイジェントからの発生される記述ファイルデータを前記処理モジュールマネジャーに送る手段とを備えた前記処理モジュールを前記被管理周辺装置にインターフェースするインターフェース装置を有することを特徴とするコンピュータシステム。
【請求項１８】
ネットワークに接続されたコンピュータシステムであって、処理モジュールと少なくとも１つの周辺装置とを含み、前記処理モジュールは複数の所定の管理プロトコルの１つに基づいて作動する前記周辺装置を管理するマネジャーを有し、前記周辺装置は前記コンピュータシステムのネットワークをインターフェースするネットワークインターフェース手段を含み、前記周辺装置は複数のエイジェントと組み合わされ、各エイジェントは前記複数の所定の管理プロトコルの１つに基づいて作動して前記周辺装置を使用する処理モジュールのマネジャーと通信するコンピュータシステムにおいて、前記マネジャーに前記周辺装置の特性を供給する周辺装置特性供給方法であって、
前記マネジャーからの管理情報データの要求を前記ネットワークインターフェース手段内の前記複数のエイジェントのうち該マネジャーと同じ管理プロトコルを有する１つに送るステップと、
前記要求に応じて前記ネットワークインターフェース手段内で前記周辺装置の特性に対応する１組のデータを発生するステップと、
前記要求を発するマネジャーと同じ管理プロトコルを有するエイジェント内で前記１組のデータを前記周辺装置の特性データを表わす応答メッセージに変換するステップと、
前記応答メッセージを前記ネットワークを介して前記要求を発するマネジャーに送るステップと
を備えたことを特徴とする周辺装置特性供給方法。
【手続補正３】
【補正対象書類名】明細書
【補正対象項目名】０００１
【補正方法】変更
【補正の内容】
【０００１】
【発明の属する技術分野】
本発明は、インターフェース装置、供給方法、コンピュータシステムおよび周辺装置特性供給方法に関し、特に周辺装置の仕様に関する情報をネットワーク中の周辺装置を使用する処理モジュールに提供する装置に関する。


【手続補正４】
【補正対象書類名】明細書
【補正対象項目名】００１２
【補正方法】変更
【補正の内容】
【００１２】
本発明は、上記問題点を解決するため、処理モジュールマネジャーでの被管理周辺装置記述ファイルの発生が不可能となる虞れをなくすことができると共に、処理モジュールマネジャーに存する被管理周辺装置の記述ファイルを被管理周辺装置の特性についての問い合わせを行う際に役立つものとすることができるインターフェース装置、供給方法、コンピュータシステムおよび周辺装置特性供給方法を提供することを目的とする。


【手続補正５】
【補正対象書類名】明細書
【補正対象項目名】００１３
【補正方法】変更
【補正の内容】
【００１３】
【課題を解決するための手段】
請求項１記載の発明は、周辺機器を管理するマネジャーが前記周辺機器との間でデータを交換するコンピュータシステムにおいて、少なくとも１つのエイジェントを有し、前記コンピュータシステムのネットワークと前記周辺機器とに接続するインターフェース装置であって、前記周辺機器に関する管理情報を要求する、前記マネジャーの管理プロトコルによる要求を受信する受信手段と、前記受信手段により受信された要求を、複数のエイジェントのうちの１つに転送する転送手段と、印刷データを前記周辺機器に移送する移送手段と、前記転送手段により転送された要求に対応するコマンドを前記エイジェントにおいて生成する生成手段と、前記エイジェントからの前記コマンドに応じて、前記周辺機器に関するデータを生成する生成手段と、前記生成手段により生成されたデータに対応する、前記マネジャーの管理プロトコルによるデータパケットを生成するデータパケット生成手段と、前記データパケットユニット生成手段により生成されたデータパケットユニットをネットワークを介して前記マネジャーへ送信する送信手段とを有することを特徴とする。
【手続補正６】
【補正対象書類名】明細書
【補正対象項目名】００１４
【補正方法】変更
【補正の内容】
【００１４】
請求項２記載の発明は、請求項１記載のインターフェース装置において、前記複数のエイジェントはそれぞれ異なる管理プロトコルを有することを特徴とする。


【手続補正７】
【補正対象書類名】明細書
【補正対象項目名】００１５
【補正方法】変更
【補正の内容】
【００１５】
請求項３記載の発明は、請求項１または２記載のインターフェース装置において、前記生成手段は、前記管理情報を構築するに必要なデータを生成することを特徴とする。


【手続補正８】
【補正対象書類名】明細書
【補正対象項目名】００１６
【補正方法】変更
【補正の内容】
【００１６】
請求項４記載の発明は、周辺機器を管理するマネジャーが前記周辺機器との間でデータを交換するコンピュータシステムにおいて、前記周辺機器に関する管理情報の供給方法であって、前記周辺機器に関する管理情報を要求する、前記マネジャーの管理プロトコルによる要求を受信する受信ステップと、前記受信手段により受信された要求を、複数のエイジェントのうちの１つに転送する転送ステップと、印刷データを前記周辺機器に移送する移送ステップと、前記転送ステップにより転送された要求に対応するコマンドを前記エイジェントにおいて生成する生成ステップと、前記エイジェントからの前記コマンドに応じて、前記周辺機器に関するデータを生成する生成ステップと、前記生成ステップにより生成されたデータに対応する、前記マネジャーの管理プロトコルによるデータパケットを生成するデータパケット生成ステップと、前記データパケットユニット生成ステップにより生成されたデータパケットユニットをネットワークを介して前記マネジャーへ送信する送信ステップとを有することを特徴とする。


【手続補正９】
【補正対象書類名】明細書
【補正対象項目名】００１７
【補正方法】変更
【補正の内容】
【００１７】
請求項５記載の発明は、ネットワークに接続されたコンピュータシステムであって、マネジャーが、当該マネジャーによって管理される周辺装置との間で、前記コンピュータシステムのネットワークと少なくとも１つのエイジェントを有する前記周辺装置のインターフェースとを介してデータを交換するコンピュータシステムにおいて、前記周辺装置のインターフェース内に設けられ、前記少なくとも１つのエイジェントに接続され前記マネジャーの要求に応じて前記周辺装置の特性に対応する１組のデータを発生する手段と、発生された１組のデータに応じて該１組のデータを前記少なくとも１つのエイジェントに移送する手段と、前記１組のデータに対応するデータパケットユニットを発生し前記少なくとも１つのエイジェントから前記ネットワークを介して前記マネジャーに送る手段とを有することを特徴とする。


【手続補正１０】
【補正対象書類名】明細書
【補正対象項目名】００１８
【補正方法】変更
【補正の内容】
【００１８】
請求項６記載の発明は、請求項５記載のコンピュータシステムにおいて、前記周辺装置の属性情報を前記周辺装置の前記インターフェースに格納する手段を更に含み、前記周辺装置の特性に対応する前記１組のデータは前記格納された属性から生成されることを特徴とする。


【手続補正１１】
【補正対象書類名】明細書
【補正対象項目名】００１９
【補正方法】変更
【補正の内容】
【００１９】
請求項７記載の発明は、請求項５記載のコンピュータシステムにおいて、前記少なくとも１つのエイジェントと前記マネジャーは共通の管理プロトコルに基づいて作動することを特徴とする。


【手続補正１２】
【補正対象書類名】明細書
【補正対象項目名】００２０
【補正方法】変更
【補正の内容】
【００２０】
請求項８記載の発明は、請求項５記載のコンピュータシステムにおいて、前記データパケットユニットは前記マネジャーにより決定された管理プロトコルを使用して前記少なくとも１つのエイジェントから送られることを特徴とする。


【手続補正１３】
【補正対象書類名】明細書
【補正対象項目名】００２１
【補正方法】変更
【補正の内容】
【００２１】
請求項９記載の発明は、請求項８記載のコンピュータシステムにおいて、前記マネジャーは、前記少なくとも１つのエイジェントから受け取った前記データパケットユニットに応じて前記被管理周辺装置の特性に対応する管理情報ベースを発生する手段を備えることを特徴とする。


【手続補正１４】
【補正対象書類名】明細書
【補正対象項目名】００２２
【補正方法】変更
【補正の内容】
【００２２】
請求項１０記載の発明は、複数の処理モジュールと少なくとも１つの周辺装置とを含み、前記各処理モジュールは前記周辺装置を管理するマネジャーを有し、前記周辺装置はネットワークへインターフェースするネットワークインターフェース手段を含み、前記周辺装置は前記マネジャーと通信する少なくとも１つのエイジェントを含むコンピュータシステムにおける、前記マネジャーに前記周辺装置の特性を供給する周辺装置特性供給方法であって、前記マネジャーからの管理情報データの要求メッセージを前記ネットワークインターフェース手段内の前記少なくとも１つのエイジェントに送るステップと、前記要求メッセージに応じて前記ネットワークインターフェース手段内で前記周辺装置の特性に対応する１組のデータを発生するステップと、前記１組のデータを前記少なくとも１つのエイジェント内で前記周辺装置の特性データを表わす応答メッセージに変換するステップと、該応答メッセージを前記ネットワークを介して前記マネジャーに送るステップとを備えたことを特徴とする。


【手続補正１５】
【補正対象書類名】明細書
【補正対象項目名】００２３
【補正方法】変更
【補正の内容】
【００２３】
請求項１１記載の発明は、請求項１０記載の周辺装置特性供給方法において、前記少なくとも１つのエイジェントからの前記応答メッセージに応じて前記被管理周辺装置を記述するファイルを前記マネジャーで生成し保管するステップを更に有することを特徴とする。


【手続補正１６】
【補正対象書類名】明細書
【補正対象項目名】００２４
【補正方法】変更
【補正の内容】
【００２４】
請求項１２記載の発明は、請求項１０記載の周辺装置特性供給方法において、前記被管理周辺装置の属性を前記ネットワークインターフェース手段に格納するステップと、前記格納された属性に応じて前記１組の被管理周辺装置の特性データを生成するステップとを更に含むことを特徴とする。


【手続補正１７】
【補正対象書類名】明細書
【補正対象項目名】００２５
【補正方法】変更
【補正の内容】
【００２５】
請求項１３記載の発明は、請求項１０記載の周辺装置特性供給方法において、前記少なくとも１つのエイジェントと前記マネジャーは共通の管理プロトコルを有することを特徴とする。


【手続補正１８】
【補正対象書類名】明細書
【補正対象項目名】００２６
【補正方法】変更
【補正の内容】
【００２６】
請求項１４記載の発明は、ネットワークを介して互いに接続された処理モジュールと周辺装置とを含み、前記各処理モジュールは複数の管理プロトコルの所定の１つを使用して前記周辺装置を管理するマネジャーを有し、前記周辺装置は前記ネットワーク上で前記マネジャーと管理情報を交換するための少なくとも１つ以上のエイジェントと組み合わされているコンピュータシステムにおいて、前記周辺装置の属性情報を格納する手段と、前記少なくとも１つのエイジェントに接続され前記周辺装置の前記格納された属性情報に応じて前記周辺装置を記述するデータを発生する手段と、発生された記述データを前記周辺装置の前記少なくとも１つのエイジェントに送る手段と、発生された記述ファイルデータの前記周辺装置の前記エイジェントによる受領に応じて発生された記述データに対応する１組のデータパケットを生成し該１組のデータパケットを前記マネジャーに送る手段とを有することを特徴とする。


【手続補正１９】
【補正対象書類名】明細書
【補正対象項目名】００２７
【補正方法】変更
【補正の内容】
【００２７】
請求項１５記載の発明は、請求項１４記載のコンピュータシステムにおいて、前記データパケットを送る前記周辺装置の前記エイジェントは前記マネジャーにより決定された管理プロトコルに基づいて作動することを特徴とする。


【手続補正２０】
【補正対象書類名】明細書
【補正対象項目名】００２８
【補正方法】変更
【補正の内容】
【００２８】
請求項１６記載の発明は、請求項１４記載のコンピュータシステムにおいて、前記マネジャーは、前記発生された記述データに対応する前記１組のデータパケットに応じて前記周辺装置の記述ファイルを生成することを特徴とする。


【手続補正２１】
【補正対象書類名】明細書
【補正対象項目名】００２９
【補正方法】変更
【補正の内容】
【００２９】
請求項１７記載の発明は、ネットワークを介して互いに接続された処理モジュールと周辺装置とを含み、前記処理モジュールは複数の所定の管理プロトコルの所定の１つを使用して前記周辺装置を管理するマネジャーを有し、前記周辺装置は複数のエイジェントと組み合わされ、各エイジェントは前記複数の所定の管理プロトコルの１つに基づいて作動して前記ネットワークを介して前記マネジャーと管理情報を交換するコンピュータシステムにおいて、前記各被管理周辺装置の前記複数のエイジェントの各々に接続され、処理モジュールマネジャーからの要求に応じて前記接続されたエイジェントの管理プロトコルに従って前記被管理周辺装置の特性に対応するデータを発生する手段と、該発生されたデータを前記要求を発する処理モジュールマネジャーの管理プロトコルに基づいて作動する前記被管理周辺装置の前記エイジェントに送る手段と、前記処理モジュールマネジャーの管理プロトコルに基づいて作動する前記被管理周辺装置の前記エイジェントによる前記発生されデータの受領に応じて前記エイジェントからの発生される記述ファイルデータを前記処理モジュールマネジャーに送る手段とを備えた前記処理モジュールを前記被管理周辺装置にインターフェースするインターフェース装置を有することを特徴とする。


【手続補正２２】
【補正対象書類名】明細書
【補正対象項目名】００３０
【補正方法】変更
【補正の内容】
【００３０】
請求項１８記載の発明は、ネットワークに接続されたコンピュータシステムであって、処理モジュールと少なくとも１つの周辺装置とを含み、前記処理モジュールは複数の所定の管理プロトコルの１つに基づいて作動する前記周辺装置を管理するマネジャーを有し、前記周辺装置は前記コンピュータシステムのネットワークをインターフェースするネットワークインターフェース手段を含み、前記周辺装置は複数のエイジェントと組み合わされ、各エイジェントは前記複数の所定の管理プロトコルの１つに基づいて作動して前記周辺装置を使用する処理モジュールのマネジャーと通信するコンピュータシステムにおいて、前記マネジャーに前記周辺装置の特性を供給する周辺装置特性供給方法であって、前記マネジャーからの管理情報データの要求を前記ネットワークインターフェース手段内の前記複数のエイジェントのうち該マネジャーと同じ管理プロトコルを有する１つに送るステップと、前記要求に応じて前記ネットワークインターフェース手段内で前記周辺装置の特性に対応する１組のデータを発生するステップと、前記要求を発するマネジャーと同じ管理プロトコルを有するエイジェント内で前記１組のデータを前記周辺装置の特性データを表わす応答メッセージに変換するステップと、前記応答メッセージを前記ネットワークを介して前記要求を発するマネジャーに送るステップとを備えたことを特徴とする。


【手続補正２３】
【補正対象書類名】明細書
【補正対象項目名】００３１
【補正方法】削除
【補正の内容】
【手続補正２４】
【補正対象書類名】明細書
【補正対象項目名】００６０
【補正方法】変更
【補正の内容】
【００６０】
【発明の効果】
以上説明したように、本発明によれば、処理モジュールのマネジャーでの被管理周辺装置記述ファイルの発生が不可能となる虞れをなくすことができると共に、処理モジュールのマネジャーに存する被管理周辺装置の記述ファイルを被管理周辺装置の特性についての問い合わせを行う際に役立つものとすることができる。


【手続補正２５】
【補正対象書類名】明細書
【補正対象項目名】００６１
【補正方法】削除
【補正の内容】
【手続補正２６】
【補正対象書類名】明細書
【補正対象項目名】００６２
【補正方法】削除
【補正の内容】
【手続補正２７】
【補正対象書類名】明細書
【補正対象項目名】００６３
【補正方法】削除
【補正の内容】
【手続補正２８】
【補正対象書類名】明細書
【補正対象項目名】００６４
【補正方法】削除
【補正の内容】
【手続補正２９】
【補正対象書類名】明細書
【補正対象項目名】００６５
【補正方法】削除
【補正の内容】